(57)【要約】      （修正有）【課題】ドアノブと錠とが間隔を置いて設けられている場合であっても、錠の鍵穴を確実に塞ぎ、また、構造を簡素化して加工性・制作性を高めるとともに破壊工作をしにくいドア用ピッキング防止装置を提供する。【解決手段】ドアノブに装着されて、鍵穴の前面を覆うベースプレート２と、ベースプレートの面方向に沿って着脱可能に取り付けられ、ドアノブのドア側の端部に係合させられる係合部材３と、係合部材のベースプレートからの離脱を防止する着脱可能なロック部材４とを備える。ベースプレートには、ドアノブが嵌合させられる貫通孔２ａが設けられているとともに、一面に、係合部材が挿通されて、この係合部材を、貫通孔の内面との最大間隔がドアノブの最小径よりも小さくなるように保持するガイド部が設けられている。【選択図】図２
0003169563.tif 000002
【実用新案登録請求の範囲】
【請求項１】
ドア開閉用のドアノブとこのドアノブの近傍に設けられた鍵穴とを備えたドアに装着されて、前記鍵穴へのピッキング操作を防止するドア用ピッキング防止装置であって、前記ドアノブに装着されて、前記鍵穴の前面を覆うベースプレートと、このベースプレートの面方向に沿って着脱可能に取り付けられ、前記ドアノブの前記ドア側の端部に係合させられる係合部材と、この係合部材の前記ベースプレートからの離脱を防止する着脱可能なロック部材とを備え、前記ベースプレートには、前記ドアノブが嵌合させられる貫通孔が設けられているとともに、一面に、前記係合部材が挿通されて、この係合部材を、前記貫通孔の内面との最大間隔が前記ドアノブの最小径よりも小さくなるように保持するガイド部が設けられていることを特徴とするドア用ピッキング防止装置。
【請求項２】
前記ベースプレートおよび前記ガイド部が樹脂によって一体成形されていることを特徴とする請求項１に記載のドア用ピッキング防止装置。
【請求項３】
前記ベースプレートおよび前記ガイド部が個別に成形され、これらのベースプレートとガイド部とが固定手段によって一体化されていることを特徴とする請求項１に記載のドア用ピッキング防止装置。
【請求項４】
前記ロック部材が南京錠であり、この南京錠のツルが、前記係合部材となされていることを特徴とする請求項１〜３の何れかに記載のドア用ピッキング防止装置。
【請求項５】
前記固定手段が溶接であることを特徴とする請求項３に記載のドア用ピッキング防止装置。
【請求項６】
前記固定手段がねじであることを特徴とする請求項３に記載のドア用ピッキング防止装置。
【請求項７】
前記固定手段がリベットであることを特徴とする請求項３に記載のドア用ピッキング防止装置。
【考案の詳細な説明】
【技術分野】
【０００１】
本考案は、建物の出入り口に設けられているドアに用いられて、このドアに取り付けられている錠がピッキングにより不正に開錠されることを防止するためのドア用ピッキング防止装置に関するものである。
【背景技術】
【０００２】
一般に、建物の出入り口であるドアには、防犯のために錠が取り付けられており、その開閉操作は特定の鍵に限って行えるようになっている。
また、この錠は、ドアに取り付けられているドアノブと一体化され、このドアノブの前面に鍵穴が設けられたものが多い。
【０００３】
前述のように、防犯を目的として設けられている錠であるが、特定の鍵を用いずに不正に開錠するいわゆるピッキングの被害が多く発生しているのが現状である。
【０００４】
このようなピッキングは、ドアノブに設けられている鍵穴にピッキング用の器具を挿入して行われるために、従来では、前記ドアノブに、このドアノブを覆うとともに、前記鍵穴を塞ぐ有底筒状のカバーを着脱可能に取り付けるとともに、このカバーと前記ドアノブとをロック手段によって固定することにより、ピッキング用の器具を鍵穴に差し込めないようにし、必要に応じ前記ロック手段を解放して前記カバーを取り外すことにより、前記鍵穴を露出させて錠の開閉を可能にする技術が提案されている。
【０００５】
ところで、このような技術は、錠がドアノブと一体になった構造には有効であるが、錠がドアノブ近くに離れて設けられている構造に適用するには無理がある。
【０００６】
そこで、従来では、前記ドアノブに取り付けられる点においては前述した技術と同様であるが、このドアノブに取り付けられた状態において、その近傍に位置する錠の表面を覆ってその鍵穴を塞ぐ技術が提案されている（特許文献１）。
【先行技術文献】
【特許文献】
【０００７】
【特許文献１】特開２００２−３４９１０４号公報
【考案の概要】
【考案が解決しようとする課題】
【０００８】
前述の従来の技術は、基体となるカバーが、前記ドアノブに固定される装着部と、この装着部と一体に形成され前記錠を覆う被覆部とで構成され、全体として、前記ドアノブの外周および錠を包み込むように中空状に形成されているとともに、前記ドアノブを径方向から挟み込むことができるように２部材に分割され、これらの２部材を、ピボットを介して回動可能に連結しておくとともに、前記ピボットから離れた位置に、前記２部材をつき合わせて前記ドアノブおよび錠を包み込んだ状態に保持するロック手段を設けたピッキング防止装置である。
【０００９】
このような提案によって、ドアノブと錠とが離れて設けられている場合であっても、前記錠の表面を覆ってその鍵穴を塞ぎ、ピッキング行為を防止することが可能となった。
【００１０】
しかしながら、このような提案にも次のような改善すべき問題点が残されている。
すなわち、前述したピッキング防止装置は、ピボットを介して連結された２部材を回動させて突き合わせることによって前記ノブを挟み込んで装着するものであるから、部品点数が多いこと、また、ピボットを設けることによる加工性・制作性の低下が見込まれる。
【００１１】
また、前述したように、装着部と被覆部とを有しており、前記装着部は前記ドアノブを径方向から挟み込むような形状とし、被覆部は前記錠を前面および側面から包み込むような形状としなければならないから、形状が複雑なものとならざるを得ず、この点からも加工性の点で改善の余地が残されている。
【００１２】
さらに、ピボットが設けられているが、このピボットは可動部材であるために、長期の繰り返し使用によって、摩耗や変形による緩みや作動不良の発生が考えられるだけでなく、可動部分が露出していることにより、破壊工作に対する防備が不安である。
【００１３】
そこで本考案は、ドアノブと錠とが間隔を置いて設けられている場合であっても、錠の鍵穴を確実に塞ぎ、また、構造を簡素化して加工性・制作性を高めるとともに破壊工作をしにくいドア用ピッキング防止装置を提供することを課題とする。
【課題を解決するための手段】
【００１４】
上記課題を解決するために、請求項１に記載のドア用ピッキング防止装置は、ドア開閉用のドアノブとこのドアノブの近傍に設けられた鍵穴とを備えたドアに装着されて、前記鍵穴へのピッキング操作を防止するドア用ピッキング防止装置であって、前記ドアノブに装着されて、前記鍵穴の前面を覆うベースプレートと、このベースプレートの面方向に沿って着脱可能に取り付けられ、前記ドアノブの前記ドア側の端部に係合させられる係合部材と、この係合部材の前記ベースプレートからの離脱を防止する着脱可能なロック部材とを備え、前記ベースプレートには、前記ドアノブが嵌合させられる貫通孔が設けられているとともに、一面に、前記係合部材が挿通されて、この係合部材を、前記貫通孔の内面との最大間隔が前記ドアノブの最小径よりも小さくなるように保持するガイド部が設けられていることを特徴としている。
【００１５】
このような構成とすることにより、ベースプレートをその貫通孔を利用してドアノブに嵌め込んだ時点で、前記ベースプレートが前記ドアノブ近傍にある鍵穴の前面を塞ぐ。
ついで、このベースプレートのガイド部に係合部材を装着すると、このガイド部が前記係合部材を、前記貫通孔の内面との最大間隔が前記ドアノブの最小径よりも小さくなるように保持するから、前記ベースプレートと前記係合部材が、それぞれドアノブのドア側の端面に対峙させられる。
これより前記ベースプレートをドアノブから取り外す方向に移動させようとすると、このドアノブの端面にベースプレートおよび係合部材が当接させられることによってベースプレートの離脱が防止されるとともに、鍵穴が塞がれた状態に保持され、ピッキング防止が図られる。
【００１６】
そして、ピッキング防止装置が、ベースプレートと、係合部材と、ロック部材との３部品で構成され、かつ、前記ベースプレートが板状であるとともに、ドアノブに装着するための貫通孔と係合部材が装着されるガイド部とが形成されているのみであることから、部品点数が最小限度に抑えられ、また、可動部分がないことから極めて簡素な構造で済む。
よって、製作性、加工性ともに向上する。
【００１７】
また、ドアノブへ装着した状態において、係合部材のベースプレートへの装着部分が、このベースプレートとドアとの隙間に位置させられることから、その装着部への破壊工作の防止効果、すなわち、ピッキング防止効果を高めることができる。
【００１８】
本考案の請求項２に記載のドア用ピッキング防止装置は、請求項１に記載の前記ベースプレートおよび前記ガイド部が樹脂によって一体成形されていることを特徴としている。
【００１９】
このような構成とすることにより、ベースプレートに貫通孔およびガイド部を同時成形することができるので、製作性が大幅に向上する。
【００２０】
本考案の請求項３に記載のドア用ピッキング防止装置は、請求項１に記載の前記ベースプレートおよび前記ガイド部が個別に成形され、これらのベースプレートとガイド部とが固定手段によって一体化されていることを特徴とするものである。
【００２１】
このような構成とすることにより、請求項２に記載のドア用ピッキング防止装置に比して製作性は若干劣るものの、より強度の高い金属等を素材として使用することが可能となり、装置の耐久性を高めることができる。
【００２２】
このように、ガイド部を個別に形成してベースプレートに固定する構成とした場合にあっても、この固定部分が、ベースプレートとドアとの隙間に位置させられることから、固定部分への破壊工作の防止効果は確保される。
【００２３】
本考案の請求項４に記載のドア用ピッキング防止装置は、請求項１に記載の前記ロック部材が南京錠であり、この南京錠のツルが、前記係合部材となされていることを特徴とするものである。
【００２４】
このような構成とすることにより、係合部材とロック機構とを一体化して構成の簡素化を図ることができるとともに、部品点数の削減効果や、ドアノブへの装着操作を簡素化できる効果が期待できる。
【００２５】
そして、請求項５に記載のように、前記固定手段を溶接とすることで、ベースプレートならびにガイド部に金属素材を使用することを可能にし、装置の強度向上を図ることができる。
【００２６】
また、請求項６に記載のように、前記固定手段をねじとし、あるいは、請求項７に記載のように前記固定手段をリベットとすることにより、ベースプレートとガイド部に異なる材質を使用した場合にあっても、これらを固定することができ、使用できる材質の選択範囲を広げることができる。
【考案の効果】
【００２７】
本考案によれば、ドアノブと錠とが間隔を置いて設けられている場合であっても、錠の鍵穴を確実に塞ぎ、また、構造が簡素で加工性・制作性が高く、破壊工作に強いドア用ピッキング防止装置を提供することができる。
【図面の簡単な説明】
【００２８】
【図１】本考案の一実施形態が適用されるドアのドアノブ部分の斜視図である。
【図２】本考案の一実施形態の使用例を示す斜視図である。
【図３】本考案の一実施形態の背面図である。
【図４】本考案の一実施形態の分解斜視図である。
【図５】本考案の他の実施形態の使用例を示す斜視図である。本考案の他の実施形態を実施するための装置の概略構成図である。
【考案を実施するための形態】
【００２９】
以下、本考案の一実施形態を図１ないし図４を参照して説明する。
図１中、符号Ｄは本実施形態が適用されるドアを示し、このドアＤを開閉するためのドアノブＮとこのドアノブＮの近傍に設けられた鍵穴Ｋを備えた錠Ｊとを備えている。
【００３０】
前記ドアノブＮは、前記ドアＤに、その表面に突出するように装着された首部Ｓに取り付けられており、前記ドアノブＮの最小径部Ａは、前記首部Ｓより大径Ｌ１となされているとともに、前記ドアＤの表面との間に隙間Ｌ２を保持するように取り付けられている。
【００３１】
ついで、本実施形態について説明すれば、図２中、符号１は、本実施形態に係わるドア用ピッキング防止装置（以下、ピッキング防止装置と略称する）を示し、前記ドアノブＮに装着されて、前記鍵穴Ｋの前面を覆うベースプレート２と、このベースプレート２の面方向に沿って着脱可能に取り付けられ、前記ドアノブＮの前記ドアＤ側の端部に係合させられる係合部材３と、この係合部材３の前記ベースプレート２からの離脱を防止する着脱可能なロック部材４とを備え、前記ベースプレート２には、前記ドアノブＮが嵌合させられる貫通孔２ａが設けられているとともに、一面に、前記係合部材３が挿通されて、この係合部材３を、前記貫通孔２ａの内面との最大間隔Ｌ３が前記ドアノブＮの最小径部Ａの最小径Ｌ１よりも小さくなるように保持するガイド部５が設けられた構成となっている。
【００３２】
これらの詳細について説明すれば、前記ベースプレート２は、本実施形態においては強化プラスチック等の硬質樹脂により円盤状に形成されており、前記貫通孔２ａおよびガイド部５が、前記ベースプレート２の成形時に同時に形成されることにより、前記ガイド部５がベースプレート２へ一体化されている。
【００３３】
また、前記ベースプレート２の前記貫通孔２ａは、前記ベースプレート２の面方向の中心に形成されており、前記ドアノブＮが貫通する程度の内径となされているとともに、その外径が、このベースプレート２を前記ドアノブＮに装着した状態において、前記鍵穴Ｋを十分に覆うような大きさとなされている。
【００３４】
前記ガイド部５は、前記貫通孔２ａを挟むように間隔を置いて２カ所に設けられ、それぞれに、前記貫通孔２ａの半径方向と平行なガイド孔５ａが形成され、前記係合部材３が着脱可能に装着されるようになっている。
また、これらのガイド部５は、前記ベースプレート２と、このベースプレート２の面から前記ドアノブＮとドアＤとの間隔Ｌ２と同等の距離離れた位置にある仮想面との間に収まるように形成されている。
【００３５】
そして、前記各ガイド孔５ａは、その中心線を結ぶ線と前記貫通孔５ａの内面との最大間隔Ｌ３が、前記ドアノブＮの最小径Ｌ１よりも小さくなる位置に設けられている。
したがって、これらのガイド部５に前記係合部材３が装着された際に、この係合部材３と前記貫通孔５ａの内面との間隔が前記最大間隔Ｌ３に近い間隔で保持されるようになっている。
【００３６】
前記係合部材３は、全体として、前記ガイド部５のガイド孔５ａの最小隙間よりも若干ちいさな外径を有する円柱状に形成され、その一端部には、前記ガイド部５のガイド孔５ａの最小隙間よりも大きな外径を有する係合部３ａが連設され、他端部には、前記ガイド孔５ａと小さめな相似形の断面を有し、前記ロック部材４が取り付けられるロック部３ｂが連設されている。
【００３７】
前記ロック部材４は、本実施形態においては南京錠によって構成され、そのツル４ａが前記係合部材３のロック部３ｂに着脱可能に装着されるようになっている。この南京錠としては、それ自体のピッキングを防止する観点からもダイヤル式南京錠を用いる方が好ましい。
【００３８】
ついで、このように構成された本実施形態のピッキング防止装置１の使用方法について説明する。
まず、ベースプレート２単体を、その一面に設けられているガイド部５がドアＤへ向く状態のまま、その貫通孔２ａ内にドアノブＮを貫通させることにより首部Ｓまで差し込み装着する。
【００３９】
これより、ベースプレート２を、前記ガイド部５が首部Ｓから離間するように半径方向外方に向けて移動させ、貫通孔２ａの内面を前記首部Ｓに当接させる。
【００４０】
ついで、前記係合部材３を、そのロック部３ｂ側から前記ガイド部材５に嵌合させ、一端部に設けられた係合部３ａを一方のガイド部５に当接させるとともに、他端部のロック部３ｂを、他方のガイド部５を貫通させる。
【００４１】
ついで、前記ロック部３ｂにロック部材４を取り付けてロックすることにより、図２に示すように本装置の装着を完了する。
【００４２】
この状態において、前記ベースプレート２によって錠Ｊの鍵穴Ｋが塞がれるとともに、前記係合部材３およびベースプレート２の一部が、前記ドアノブＮのドアＤ側の端面に対峙させられる。
そして、このベースプレート２をドアノブＮから引き抜こうとした場合、このベースプレート２および係合部材３が前記ドアノブＮの端面に係合させられることによって、引き抜きが阻止される。
【００４３】
したがって、このピッキング防止装置１によって、前記鍵穴Ｋが覆われた状態に保持されて、ピッキングが防止される。
一方、前記係合部材３やこれらを支持するガイド部５は、前記ベースプレート２とドアＤとの隙間に位置させられているから、破壊のための治具等の挿入や操作がしづらく、よって、高いピッキング防止効果が得られる。
【００４４】
なお、前述した実施形態においては、ペースプレート２とガイド部５とを一体に形成した例について示したが、これに代えて、前記ベースプレート２と前記ガイド部５とを個別に成形し、これらのベースプレート２とガイド部５とを、溶接やねじあるいはリベット等の固定手段によって一体化することも可能である。
【００４５】
また、前記係合部材３の主要部である円柱部分を省略して、図４に符号６で示すような係合部材とすることもできる。
この係合部材６は、前述したロック部３ｂを延長して、直接前記係合部３ａと一体化したものである。
【００４６】
さらに、図５に示すように、前記ロック部材４を構成する南京錠のツル４ａを長尺化し、このツル４ａを前記ガイド部５に嵌着させるようにして、前記係合部材３・６の代用部材とすることも可能である。
【００４７】
また、ベースプレート２の表面側にドアノブＮを覆う有頭筒状のカバー部材を設けてもよい。このようにすれば、ドアノブの中央部に鍵穴があるものについても、同時にピッキング防止効果を得ることができる。
【符号の説明】
【００４８】
Ａ  最小径部
Ｄ  ドア
Ｊ  錠
Ｋ  鍵穴
Ｎ  ドアノブ
Ｓ  首部
１  （ドア用）ピッキング防止装置
２  ベースプレート
２ａ  貫通孔
３  係合部材
３ａ  係合部
３ｂ  ロック部
４  ロック部材
４ａ  ツル
５  ガイド部
５ａ  ガイド孔
６  係合部材
【図１】
0003169563.tif 000003
【図２】
0003169563.tif 000004
【図３】
0003169563.tif 000005
【図４】
0003169563.tif 000006
【図５】
0003169563.tif 000007